(57)【要約】【課題】  画像データを保持せず、デジタルカメラにお気に入りの画像を保持する。【解決手段】  デジタルカメラ１００により表示されている画像に対応する第１のユーザ入力を受け取るステップ６０３と、第１のユーザ入力に応答して、画像に対応する画像データをダウンサンプリングするステップ６０４と、ダウンサンプリングされた画像データを不揮発性メモリ１０８に記憶するステップ６０５を行なう。ダウンサンプリングされた画像データは、メモリカードに記憶されることもできる。【選択図】  図６
2005160090.tif 000002
【特許請求の範囲】
【請求項１】
デジタルカメラにより表示されている画像に対応する第１のユーザ入力を受け取るステップと、
前記第１のユーザ入力に応答して、前記画像に対応する画像データをダウンサンプリングするステップと、
前記ダウンサンプリングされた画像データを不揮発性メモリに記憶するステップと
を含んでなるデジタルカメラにより実施される方法。
【請求項２】
前記不揮発性メモリがデジタルカメラの一部である、請求項１に記載のデジタルカメラにより実施される方法。
【請求項３】
前記不揮発性メモリは、前記デジタルカメラに接続されるメモリカードの一部である、請求項１に記載のデジタルカメラにより実施される方法。
【請求項４】
第２のユーザ入力に応答して、前記ダウンサンプリングされた画像データをテレビジョンに出力することをさらに含む、請求項１に記載のデジタルカメラにより実施される方法。
【請求項５】
前記画像データをダウンサンプリングする前に、前記デジタルカメラに接続されたメモリカードから前記画像データを検索することをさらに含む、請求項１に記載のデジタルカメラにより実施される方法。
【請求項６】
デジタルカメラにより表示されている画像に対応する第１のユーザ入力を受け取るステップと、
前記第１のユーザ入力の受け取りに応答して、
前記デジタルカメラに接続された取り外し可能なメモリカードから前記画像に対応する画像データを検索するステップと、
前記画像に対応する画像データを、前記デジタルカメラの一部である不揮発性メモリに記憶するステップと
を含んでなるデジタルカメラにより実施される方法。
【請求項７】
前記第１のユーザ入力を受け取る前に、前記画像をキャプチャするステップと、
前記第１のユーザ入力を受け取る前に、前記画像を表示するステップと
をさらに含む、請求項６に記載のデジタルカメラにより実施される方法。
【請求項８】
前記画像に対応する画像データをテレビジョンに出力するステップをさらに含む、請求項６に記載のデジタルカメラにより実施される方法。
【請求項９】
前記記憶するステップの前に、前記検索された画像データをダウンサンプリングするステップをさらに含む、請求項６に記載のデジタルカメラにより実施される方法。
【請求項１０】
お気に入り画像を見るという選択肢に対応する第２のユーザ入力を受け取るステップと、
前記第２のユーザ入力に応答して前記画像を表示するステップと
をさらに含む、請求項６に記載のデジタルカメラにより実施される方法。
【発明の詳細な説明】
【技術分野】
【０００１】
本発明は、デジタルカメラおよびデジタルカメラにおいて実施される方法に関する。
【背景技術】
【０００２】
デジタルカメラにより、ユーザはデジタル画像をキャプチャして記憶することができる。デジタルカメラに関連する１つの問題は、内部メモリの容量が限られていること、および／または、取り外し可能なメモリカードの容量が限られていることである。したがって、ユーザは定期的に画像をカメラのメモリからコンピュータまたは他の装置に転送し、次にカメラのメモリから写真を削除して、新しい写真を撮影するための場所を空ける。非常によい写真が撮れると、ユーザは、写真をレビューし他人と共有することができるカメラのメモリに保持しておきたいと思う場合がある。しかし、古い画像をデジタルカメラのメモリに保持しておくと、新しい写真の撮影に利用可能なメモリの容量が大幅に少なくなる恐れがある。
【０００３】
デジタルカメラに関連する別の問題は、ユーザにとって価値のある、デジタルカメラによりキャプチャした画像をユーザがなくす場合があることである。たとえば、画像はデジタルカメラまたはデジタルカメラに接続されたメモリカードから意図的に、または意図せずに削除される場合がある。画像は、画像を追加するためにメモリを解放する目的で意図的に削除される場合もあれば、パーソナルコンピュータにダウンロードされるときに意図せずに削除されてしまう場合もある。さらに、ユーザは、価値ある画像を記憶しているメモリカードがなくなったり、あるいは破損した場合にこのような画像を失う場合がある。
【０００４】
デジタルカメラに伴うさらに別の問題は、デジタルカメラにより撮影される写真の多くが望ましくない場合があり、望ましくない写真をすべて個々に削除することに時間がかかりすぎる場合があることである。デジタルカメラに伴う別の問題は、ユーザがデジタルカメラによって表示または出力された画像を効果的に選別（フィルタリング）することができないことである。
【発明の開示】
【発明が解決しようとする課題】
【０００５】
本発明は上記課題の少なくともいくつかを解決すことを課題とする。
【課題を解決するための手段】
【０００６】
本発明においては、デジタルカメラと、デジタルカメラによりキャプチャされた画像の管理をする方法とが開示される。デジタルカメラにより実施される方法の一実施形態は、デジタルカメラにより表示されている画像に対応する第１のユーザ入力を受け取るステップと、第１のユーザ入力に応答して、画像に対応する画像データをダウンサンプリングするステップと、ダウンサンプリングされた画像データを不揮発性メモリに記憶するステップとを含む。
【０００７】
デジタルカメラにより実施される方法の別の実施形態は、デジタルカメラによって表示されている画像に対応する第１のユーザ入力を受け取るステップと、第１のユーザ入力の受け取りに応答して、デジタルカメラに接続された取り外し可能なメモリカードから画像に対応する画像データを検索するステップと、画像に対応する画像データを、デジタルカメラの一部である不揮発性メモリに記憶するステップとを含む。
【０００８】
デジタルカメラにより実施される方法のさらなる実施形態は、デジタルカメラによって表示されている複数の画像のそれぞれに対応する複数のユーザ入力を受け取るステップと、複数のユーザ入力それぞれに応答して、複数の画像をお気に入り画像として指定するステップと、お気に入り画像を表示するという選択肢に対応する別のユーザ入力を受け取るステップと、他のユーザ入力の受け取りに応答して、複数の画像の中の少なくとも１つを表示するステップとを含む。
【０００９】
デジタルカメラの一実施形態は、不揮発性メモリと、デジタルカメラがユーザ入力を受け取ったことに応答して、デジタルカメラによって表示される画像に対応する画像データをダウンサンプリングし、ダウンサンプリングされた画像データを不揮発性メモリに供給するようにプログラムされた少なくとも１つのプロセッサとを備える。
【００１０】
デジタルカメラの別の実施形態は、ディスプレイと、デジタルカメラが複数のユーザ入力それぞれを受け取ったことに応答して、複数の画像をお気に入り画像として指定し、デジタルカメラが、お気に入り画像を表示するという選択肢に対応する別のユーザ入力を受け取ったことに応答して、複数の画像の中の少なくとも１つに対応する画像データをディスプレイに供給するようにプログラムされた少なくとも１つのプロセッサとを備える。
【００１１】
デジタルカメラのさらなる実施形態は、デジタルカメラによって表示されている複数の画像それぞれに対応する複数のユーザ入力を受け取る手段と、複数のユーザ入力のそれぞれに応答して、複数の画像をお気に入り画像として指定する手段と、お気に入り画像を表示するという選択肢に対応する別の他のユーザ入力を受け取ったことに応答して、複数の画像の中の少なくとも１つを表示する手段とを備える。
【００１２】
他のシステム、方法、および特徴が以下の図面および詳細な説明を考察した上で明らかである、または明らかになろう。このようなさらなるシステム、方法、および特徴はすべて本明細書内に包含されるものと意図される。
【００１３】
デジタルカメラおよびデジタルカメラによりキャプチャされた画像を管理する方法は、例として示され、添付図面に図示する実施態様によって限定されるものではない。図面中の構成要素は必ずしも一定の比率で拡大縮小されていない。同様の参照番号は何枚かの図面全体を通して対応する部分を示す。
【発明を実施するための最良の形態】
【００１４】
デジタルカメラおよびデジタルカメラによってキャプチャされた画像を管理する方法を開示する。このような１つの方法によれば、デジタルカメラにより、ユーザはキャプチャされた画像をお気に入り画像として指定することができる。ユーザは、デジタルカメラのディスプレイ画面上によって表示される選択肢を選択することにより（たとえば、ユーザ入力パネルを介して）、画像をお気に入り画像として指定することができる。お気に入り画像として指定された画像はダウンサンプリングされ、次にデジタルカメラの内部メモリに記憶される。画像がダウンサンプリングされるとは、解像度および符号化に使用されるデータ量が小さくされる場合をいう。このようにして、ユーザは、その後、ユーザが指定した多くのお気に入り画像にアクセスすることが可能となる。たとえば、お気に入り画像は、対応する画像データがパーソナルコンピュータ（ＰＣ）にダウンロードされた後であっても、および／または対応する画像データの記憶にそれまで使用されていたメモリカードが利用可能ではない、または内容が消去または上書きされてしまった場合であってもアクセスすることが可能である。
【００１５】
図１は、デジタルカメラ１００の構成要素の一例を示すブロック図である。デジタルカメラ１００は、画像をキャプチャするフォトセンサ１０２、画像を操作するデジタル信号プロセッサ（ＤＳＰ）１１２、画像を表示するディスプレイ画面１０７、ファームウェアおよび／またはキャプチャされた画像を記憶するメモリ１０８、メモリ１０８に記憶されているファームウェアを実行するプロセッサ１２０、ユーザ入力を受け取るユーザ入力（ＵＩ）制御部１０１、および画像データを別の装置と転送してやりとりする１つまたは複数の通信ポート１２２を備える。ＵＩ制御部１０１には、たとえば、ユーザ入力を受け取るボタン、ロッカースイッチ、および／またはキーパッド等の物理的な制御部を含むことができる。別法として、ディスプレイ画面１０７が接触感応性であり、ユーザ入力を受け取る仮想制御部を表示するものとすることもできる。
【００１６】
メモリ１０８は、揮発性メモリおよび不揮発性メモリの組み合わせを含むことができ、グラフィカルユーザインタフェース（ＧＵＩ）アプリケーション１０９および画像管理アプリケーション１１０を記憶する。これらアプリケーション１０９および１１０は、汎用プロセッサであっても、またはプログラムコードを実行するように構成されたオーダーメイドのプロセッサとし得るプロセッサ１２０によって実行することができる。
【００１７】
ＧＵＩアプリケーション１０９は、ディスプレイ画面１０７を介して選択可能な選択肢をユーザに提供するように構成される。ＧＵＩアプリケーション１０９によって提供される選択肢には、デジタルカメラ１００によってキャプチャされた画像をお気に入り画像として指定することに関連する選択肢が含まれ、これについて以下さらに詳述する。画像管理アプリケーション１１０は、ユーザによりお気に入りに画像として指定された画像をダウンサンプリングし、および／または圧縮するように構成される。代替の実施形態では、お気に入り画像のダウンサンプリングおよび／または圧縮は、その少なくとも一部を、ハードウェア（たとえば、特定用途向け集積回路（ＡＳＩＣ））によって実行することもできる。
【００１８】
デジタルカメラ１００は、メモリカードインタフェース１２４を介して取り外し可能なメモリカード（図示せず）に接続することができる。メモリカードおよび／または内部メモリ１０８は、デジタルカメラ１００によってキャプチャされた画像の記憶に使用することができる。一実施形態によれば、メモリカードに記憶され、それからユーザによってお気に入り画像として指定された画像は、メモリカードから内部メモリ１０８に転送される。
【００１９】
たとえば、通信ポート１２２により、記憶（たとえば、バックアップ）のために、またはＰＣに接続されたコンピュータモニタを介して後から見るために、お気に入り画像をデジタルカメラ１００からパーソナルコンピュータ（ＰＣ）または他の装置に転送することができる。お気に入り画像は、ＰＣまたは他の装置からデジタルカメラ１００に転送することもでき、したがってユーザは、お気に入り画像にソート、グループ化、編集、注釈付け、または変更を行い、その画像を次にデジタルカメラ１００、またはデジタルカメラ１００に接続されたテレビジョンで表示することができる。
【００２０】
各通信ポート１２２には、たとえば、シリアルポート、パラレルポート、小型コンピュータシステムインタフェース（ＳＣＳＩ）、赤外線（ＩＲ）インタフェース、ワイヤレス無線周波（ＲＦ）インタフェース、またはユニバーサルシリアルバス（ＵＳＢ）インタフェースを含むことができる。好ましい実施形態では、デジタルカメラ１００はテレビジョンに接続するように構成された通信ポート１２２を備える。
【００２１】
デジタルカメラ１００の上記構成要素は、たとえば１つまたは複数のバスもしくは他のワイヤ接続もしくはワイヤレス接続を含むことができるローカルインタフェース１３０を介して、通信可能に接続することができる。ローカルインタフェース１３０は、たとえば、デジタルカメラ１００の構成要素間でのデータの転送および通信を可能にするコントローラ、バッファ、ドライバ、リピータ、および／またはレシーバ等、簡明にするために省略されたさらなる要素を備えることができる。
【００２２】
図２は、デジタルカメラ１００の背面図を示す概略図である。デジタルカメラ１００は、ユーザ入力キー１０１、ビューファインダ２２０、画像キャプチャ・キー２２１、およびディスプレイ画面１０７を備えることができる。画像キャプチャ・キー２２１を起動して、デジタルカメラ１００に、ビューファインダ２２０を通して見えている画像をキャプチャすることができる。
【００２３】
ディスプレイ画面１０７は、デジタルカメラ１００によってキャプチャされた画像ならびに画像を操作するメニュー選択肢を表示する。ユーザ入力キー１０１は、上向き矢印キー２０２、下向き矢印キー２０３、左向き矢印キー２０４、右向き矢印キー２０５、および選択肢選択キー２０６を含むことができる。一実施形態では、上向き矢印キー２０２および下向き矢印キー２０３を使用して、ディスプレイ画面１０７に表示されているメニュー選択肢をスクロールし、選択肢選択キー２０６を使用してハイライトされたメニュー選択肢を選択し、左向き矢印２０４および右向き矢印キー２０５を使用して、ディスプレイ画面１０７に表示されている画像をスクロールする。デジタルカメラ１００によってキャプチャされた画像がディスプレイ画面１０７に表示されているときに、選択肢選択キー２０６を起動することにより、表示されている画像に関連する選択肢を含むメインメニューを要求することができる。
【００２４】
一実施形態では、メインメニュー２１０は特に、削除選択肢２１１、お気に入り選択肢２１２、および終了選択肢２１３を含む。ユーザは、たとえばユーザ入力キー１０１を使用することによってメインメニューから選択肢を選択することができる。ユーザは、たとえば、画像がディスプレイ画面１０７に表示されている間に選択肢選択キー２０６を押下することによってメインメニュー２１０を表示させることができる。このような画像は、メインメニュー２１０の背景に表示しつづけることができる。ユーザは、削除選択肢２１１を選択してメモリから画像を削除させることも、または終了選択肢２１３を選択してメニューを「終了」させることもできる。お気に入り選択肢２１２は、ユーザのお気に入り画像に関連する選択肢を含む別のメニューにアクセスするために使用することができる。
【００２５】
図３は、お気に入りメニュー３００の一例を示す概略図である。お気に入りメニュー３００は、お気に入りを見る選択肢３０１、お気に入りに追加する選択肢３０２、およびお気に入りから削除する選択肢３０３を含む。ユーザは、たとえば、ユーザ入力キー１０１を使用することによってお気に入りメニュー３００から選択肢を選択することができる。ユーザは、たとえば、お気に入り選択肢２１２がメインメニュー２１０（図２）内でハイライトされている間に選択肢選択キー２０６を押下することによってお気に入りメニュー３００を表示させることができる。ユーザは、お気に入りを見る選択肢３０１を選択して、それまでにお気に入りと指定された画像を表示させることができる。
【００２６】
ユーザは、お気に入りに追加する選択肢３０２を選択して、画像をお気に入り画像として指定することができる。お気に入り画像として指定される画像は、ディスプレイ画面１０７にその時表示されている画像であることができる。画像がその時表示されていない場合、お気に入り画像として指定される画像は、メインメニュー２１０（図２）が表示される直前に表示されていた画像である。
【００２７】
図４は、フォルダ選択メニュー４００の一例を示す概略図である。図４に示す例では、フォルダ選択メニュー４００は、第１のお気に入りフォルダ４０１、第２のお気に入りフォルダ４０２、および第３のお気に入りフォルダ４０３を含む。ユーザは、たとえば、ユーザ入力キー１０１を使用することによってフォルダ選択メニュー４００から選択肢を選択することができる。ユーザは、たとえば、お気に入りに追加する選択肢３０２がお気に入りメニュー３００（図３）内でハイライトされている間に選択肢選択キー２０６を押下することにより、フォルダ選択メニュー４００を表示させることができる。フォルダ選択メニュー４００を使用して、選択された画像にお気に入りフォルダを指定することができる。このようにしてユーザは、所望であれば、共通のテーマを有する画像を同じフォルダに記憶することができる。
【００２８】
フォルダ選択メニュー４００は、ユーザがお気に入りメニュー３００（図３）からお気に入りを見る選択肢３０１を選択することに応答しても表示することができる。このような実施態様によれば、フォルダ選択メニュー４００を使用して、特定のフォルダに対応する画像をディスプレイ画面１０７に表示させることができる。たとえば、第１のお気に入りフォルダ４０１を選択することにより、第１のお気に入りフォルダに関連する１つまたは複数の画像が表示される。次にユーザは、ユーザ入力キー１０１を使用して、表示画像をスクロールすることができる。
【００２９】
図５は、お気に入りから削除メニュー５００の一例を示す概略図である。お気に入りから削除メニュー５００は、削除選択肢５０１および終了選択肢５０２を備える。ユーザは、たとえば、ユーザ入力キー１０１を使用することによってお気に入りから削除メニュー５００から選択肢を選択することができる。ユーザは、たとえば、お気に入り画像が表示されている間に選択肢選択キー２０６を押下することにより、お気に入りから削除メニュー５００を表示させることができる。ユーザは、削除選択肢５０１を使用して、対応するお気に入りフォルダから選択された画像を「削除」することができる。削除選択肢５０１を選択した結果、選択された画像が記憶されていたお気に入りフォルダにユーザが次にアクセスするときには、削除された画像はもはやディスプレイ画面１０７には表示されない。
【００３０】
図６は、デジタルカメラ１００によってキャプチャされた画像を管理する方法６００の一例を示すフローチャートである。ステップ６０１に示すように、画像がデジタルカメラ１００によってキャプチャされる。たとえば、画像はデジタルカメラ１００内のフォトセンサによってキャプチャすることができる。次に、ステップ６０２に示すように、画像はデジタルカメラ１００によって表示される。言い換えれば、キャプチャされた画像に対応する画像データをデジタルカメラ１００のディスプレイ構成要素（たとえば、液晶ディスプレイ（ＬＣＤ））または外部表示装置（たとえば、テレビジョン）に転送することができる。
【００３１】
次に、ステップ６０３に示すように、デジタルカメラ１００が画像をお気に入り画像として指定するユーザ入力を受け取ることができる。ユーザ入力は、たとえば、ユーザ入力キーを介して受け取っても、あるいは接触感応性ディスプレイを介して受け取ることもできる。一実施形態では、ユーザ入力はデジタルカメラのディスプレイに表示された選択肢に対応する。
【００３２】
デジタルカメラ１００は、ステップ６０４に示すように、ユーザ入力に応答して、表示されている画像に対応する画像データをダウンサンプリングする。画像データは、たとえば、画像内の複数のピクセルクラスタのそれぞれにおける１つのピクセルに対応するピクセルデータを選択することによってダウンサンプリングすることができる。代替の実施形態では、複数のピクセルクラスタのそれぞれにおける２つ以上のピクセルのピクセル値を使用して、ダウンサンプリングされた画像に対応するピクセルの部分集合のピクセル値を計算することもできる。
【００３３】
次に、ステップ６０５に示すように、デジタルカメラ１００がダウンサンプリングされたデータを、デジタルカメラ１００の固定部品である内部メモリ１０８に記憶することができる。このような内部メモリ１０８は、好ましくは、デジタルカメラのバッテリが取り外された後や切れた後であっても内部メモリ１０８に記憶されている画像データが保存されるような不揮発性メモリを含む。別の実施形態では、ダウンサンプリングされたデータは、デジタルカメラ１００に接続されるメモリ装置（たとえば、メモリカード）に記憶することもできることに留意する。
【００３４】
次に、ステップ６０６に示すように、デジタルカメラ１００は、お気に入り画像の表示を要求するユーザ入力を受け取る。ユーザ入力は、デジタルカメラ１００のユーザ入力キーを介して、または遠隔制御部（たとえば、カメラを使用して画像を外部表示装置に出力している場合）を介して提供することができる。このようなユーザ入力の受け取りに応答して、ステップ６０７に示すように、デジタルカメラ１００はダウンサンプリングされた画像データに対応する画像を表示する。たとえば、ダウンサンプリングされた画像データをデジタルカメラ１００の不揮発性メモリから検索し、カメラのディスプレイ構成要素に転送し、および／または外部表示装置に出力することができる。このような画像は、ユーザ入力を受け取った直後に表示しても、後から表示しても、またはお気に入り画像のスライドショーの一部として表示することもできる。
【００３５】
元の高解像度画像に関連するオーディオクリップを、より低い解像度のお気に入り画像とともに任意選択的に保存し、ユーザが後でお気に入り画像を見るときに再生することができる。さらに、ダウンサンプリングされたビデオクリップもお気に入りとして保存することが可能である。しかし、ビデオデータは大量すぎるメモリを占有し得るため、別法として、ビデオクリップの１つまたは複数の選択されたフレームをお気に入りとして記憶することができる。
【００３６】
図７は、デジタルカメラ１００によりお気に入り画像を表示する方法１０９−１の一例を示すフローチャートである。方法１０９−１は、少なくとも一部は、たとえばＧＵＩアプリケーション１０９（図１）によって実施することができる。ステップ７０１に示すように、デジタルカメラ１００により表示される複数の画像のそれぞれに対応する複数のユーザ入力が受け取られる。たとえば、複数のユーザ入力のそれぞれは、お気に入りに追加する選択肢３０２（図３）を選択することによって提供することができる。次に、ステップ７０２に示すように、複数のユーザ入力のそれぞれに応答して、複数の画像はお気に入り画像として指定される。一実施形態では、お気に入り画像として指定される複数の画像のそれぞれは、メモリカードまたは内部メモリ１０８から検索し、ダウンサンプリングし、メモリカードあるいは内部メモリ１０８に記憶することができる。
【００３７】
ステップ７０３に示すように、お気に入り画像を表示するという選択肢に対応する別のユーザ入力が受け取られる。このようなユーザ入力は、たとえば、お気に入りを見る選択肢３０１（図３）を選択することによって提供することができる。次に、ステップ７０４に示すように、他のユーザ入力の受け取りに応答して、複数の画像の中の少なくとも１つが表示される。お気に入り画像は、たとえば、デジタルカメラ１００のディスプレイ１０７（図２）を介して表示することができる。別法として、お気に入り画像は外部表示装置（たとえば、テレビジョン）に出力することもできる。
【００３８】
図８は、デジタルカメラ１００によってキャプチャされた画像を管理する方法１１０−１の一例を示すフローチャートである。方法１１０−１は、少なくとも一部は、たとえば画像管理アプリケーション１１０（図１）によって実施することができる。ステップ８０１に示すように、デジタルカメラ１００によって表示されている画像に対応する第１のユーザ入力が受け取られる。ユーザは、たとえば、お気に入りに追加する選択肢３０２（図３）を選択することによってこのようなユーザ入力を提供することができる。第１のユーザ入力の受け取りに応答して、ステップ８０２および８０３にそれぞれ示すように、画像に対応する画像データが、デジタルカメラ１００に接続された取り外し可能なメモリカードから検索され、デジタルカメラ１００の一部である不揮発性メモリに記憶される。このようにして、元の高解像度画像が後で削除または上書きされた後であっても、ユーザは後にお気に入り画像を見ることができる。
【００３９】
図９は、デジタルカメラ１００によってキャプチャされた画像を管理する別の方法１００−２の一例を示すフローチャートである。方法１００−２は、少なくとも一部は、たとえば画像管理アプリケーション１１０（図１）により実施することができる。方法１１０−２により、比較的多数のユーザのお気に入り画像をデジタルカメラ１００に記憶することが可能である。ステップ９０１に示すように、表示されている画像に対応するユーザ入力が受け取られる。ユーザは、たとえば、お気に入りに追加する選択肢３０２（図３）を選択することによってこのようなユーザ入力を提供することができる。ステップ９０２に示すように、選択された画像に対応する第１のデータセットが、占有するメモリの量が少ない第２のデータセットに変換される。この変換は第１のデータセットをダウンサンプリングすることによって達成することができる。別法として、変換は、当分野において既知の圧縮アルゴリズム等の圧縮アルゴリズムを使用することによる等、データを圧縮することによって達成することもできる。変換はまた、たとえば、ダウンサンプリングおよび圧縮の組み合わせを用いることによって実行することもできる。次に、ステップ９０３に示すように、第２のデータセットが不揮発性メモリに記憶される。不揮発性メモリは、デジタルカメラの内部メモリ１０８の一部とすることもでき、またはデジタルカメラ１００に接続されるメモリカードの一部とすることもできる。
【００４０】
図１０は、図１に示すデジタルカメラ１００によってキャプチャされた画像を管理する方法の別の例を示すフローチャートである。ステップ１００１に示すように、デジタルカメラ１００によって表示されている画像に対応する第１のユーザ入力が受け取られる。ステップ１００２および１００３にそれぞれ示すように、第１のユーザ入力に応答して、画像に対応する画像データがダウンサンプリングされ、次に、ダウンサンプリングされた画像データが不揮発性メモリに記憶される。
【００４１】
ダウンサンプリングする単純な手法（たとえば、画像管理アプリケーション１１０（図１）によって実行することができる）は、画像を所定数の領域に分割し、各領域から１つまたは複数のピクセルを選択し、次に非選択ピクセルを破棄することを含むことができる。別法として、他のダウンサンプリング技法を使用することもできる。たとえば、第１のデータセット中の複数のピクセル値を使用して、第２のデータセット中の各ピクセル値を計算することもできる（たとえば、ピクセル値を平均化することにより）。
【００４２】
図１１は、テレビジョン１１０２に通信可能に接続されたデジタルカメラ１００を備えるお気に入り画像閲覧システム１１００の一例を示すブロック図である。遠隔制御部１１０１がユーザ入力をデジタルカメラ１００に提供する。ユーザは遠隔制御部１１０１を使用して、デジタルカメラ１００によりテレビジョン１１０２に出力されるお気に入り画像をスクロールすることができる。遠隔制御部１１０１は、たとえば、ユーザ入力キー１０１（図２）と形および／または機能が同様の入力キーを備えることができる。
【００４３】
非限定な例として、ユーザは遠隔制御部１１０１にある選択ボタン２０６（図２）を使用して、テレビジョン１１０２によって表示されているお気に入りを見る選択肢３０１（図３）を選択することができる。このユーザ選択に応答して、第１のお気に入り画像をデジタルカメラ１００によりテレビジョン１１０２に出力することができる。ユーザが遠隔制御部１１０１にある矢印キー２０５（図２）を起動する都度、別のお気に入り画像をテレビジョン１１０２に出力することができる。
【００４４】
上記実施形態は考えられる実施態様の単なる例にすぎないことが強調されるべきである。したがって、多くの変形および変更を上記実施形態に対して行うこともできる。本明細書では、このような変更および変形はすべて本開示の範囲内に包含されるものと意図される。
【図面の簡単な説明】
【００４５】
【図１】デジタルカメラの構成要素の一例を示すブロック図である。
【図２】図１に表すデジタルカメラの背面図を示す概略図である。
【図３】図２に示すディスプレイ画面に表示されるお気に入りメニューの一例を示す概略図である。
【図４】図２に示すディスプレイ画面に表示されるフォルダ選択メニューの一例を示す概略図である。
【図５】図２に示すディスプレイ画面に表示されるお気に入りから削除メニューの一例を示す概略図である。
【図６】図１に示すデジタルカメラによってキャプチャされた画像を管理する方法の一例を示すフローチャートである。
【図７】図１に示すデジタルカメラによりお気に入り画像を表示する方法の一例を示すフローチャートである。
【図８】図１に示すデジタルカメラによってキャプチャされた画像を管理する方法の一例を示すフローチャートである。
【図９】図１に示すデジタルカメラによってキャプチャされた画像を管理する方法の別の例を示すフローチャートである。
【図１０】図１に示すデジタルカメラによってキャプチャされた画像を管理する方法の別の例を示すフローチャートである。
【図１１】図１に示すデジタルカメラを備えたお気に入り画像閲覧システムの一例を示すブロック図である。
【符号の説明】
【００４６】
１００  デジタルカメラ
１１０２  テレビジョン
１０８  メモリ
３０１  選択肢
【図１】
2005160090.tif 000003
【図２】
2005160090.tif 000004
【図３】
2005160090.tif 000005
【図４】
2005160090.tif 000006
【図５】
2005160090.tif 000007
【図６】
2005160090.tif 000008
【図７】
2005160090.tif 000009
【図８】
2005160090.tif 000010
【図９】
2005160090.tif 000011
【図１０】
2005160090.tif 000012
【図１１】
2005160090.tif 000013